(57)【要約】【課題】こたつの天板上には携帯電話やテレビのリモコンやめがね等、生活小物が置かれ、非常に邪魔になることが多い。本発明は、それらの小物を収納することができるスペースを簡単に設けることができるものである。【解決手段】本発明のスペーサーは、こたつ本体と天板を有するこたつにおいて、こたつ本体と天板との間に設けられる複数のスペーサーであって、こたつ本体の枠体内外方向への移動を制限する位置決め手段を有することにより、簡単に小物収納ができる。【選択図】図１
2019216868.tif 000002
【特許請求の範囲】
【請求項１】
こたつ本体と、天板を有するこたつにおいて、
前記こたつ本体と前記天板との間に設けられる複数のスペーサーであって、
前記こたつ本体は、脚と前記天板を支持する枠体とから成り、
前記スペーサーは、前記枠体上に配置され、前記枠体の内外方向への移動を制限する位置決め手段を有するスペーサー。
【請求項２】
前記位置決め手段は、下方に突出した第１突起と第２突起を有し、前記第１突起は前記枠体の外側に位置し、前記第２突起は前記枠体の内側に位置する請求項１に記載のスペーサー。
【請求項３】
前記第２突起より前記第１突起の方が下方への突出長さが長い請求項２に記載のスペーサー。
【請求項４】
前記枠体は、連設された複数の枠部材によって多角形形状に構成され、
前記スペーサーは、
第１の前記枠部材上に配置される第１スペーサー部材と、
前記第１の枠部材に連設する第２の枠部材上に配置される第２スペーサー部材とを備え、
前記第１スペーサー部材と前記第２スペーサー部材とは、一体的に構成または連結可能に構成されている請求項１から３のいずれか１項に記載のスペーサー。
【発明の詳細な説明】
【技術分野】
【０００１】
こたつのこたつ本体と天板の間に設置し、小物収納部を簡単に構成するスペーサーに関する。
【背景技術】
【０００２】
一般的なこたつは、正方形もしくは長方形の枠体の四隅に脚が設けられたこたつ本体と、その上に載置された天板から成り、座卓や食卓としての用に供されている。
【０００３】
天板の上には、携帯電話やテレビのリモコンやめがね等、生活小物が置かれ、非常に邪魔になることが多い。それらの小物を収納できるスペースを設ける構成が多数発案されている。
【０００４】
その具体的な構成としては、例えば天板と同程度の大きさの底板を置き、底板と天板の間に収納部となる空間を確保するための支柱を底板に固定する構成がある（特許文献１）。
【先行技術文献】
【特許文献】
【０００５】
【特許文献１】特開２０１２−１４３３３３号公報
【発明の概要】
【発明が解決しようとする課題】
【０００６】
天板と同程度の大きさの底板を置き、底板と天板の間に支柱を設けることによって収納部となる空間を確保する構成では、支柱が底板に固定されているため、決まった大きさのこたつにしか対応できないという課題を有していた。
【課題を解決するための手段】
【０００７】
本発明のスペーサーは、こたつ本体と、天板を有するこたつにおいて、こたつ本体と天板との間に設けられる複数のスペーサーであって、こたつ本体は、脚と天板を支持する枠体とから成り、スペーサーは、枠体上に配置され、枠体の内外方向への移動を制限する位置決め手段を有するものである。
【０００８】
本発明の位置決め手段は、下方に突出した第１突起と第２突起を有し、第１突起は枠体の外側に位置し、第２突起は枠体の内側に位置するものである。
【０００９】
本発明のスペーサーは、第２突起より前記第１突起の方が下方への突出長さが長いものである。
【００１０】
本発明のスペーサーにおいて、枠体は、連設された複数の枠部材によって多角形形状に構成され、スペーサーは、第１の枠部材上に配置される第１スペーサー部材と、第１の枠部材に連設する第２の枠部材上に配置される第２スペーサー部材とを備え、第１スペーサー部材と第２スペーサー部材とは、一体的に構成または連結可能に構成されているものである。  
【発明の効果】
【００１１】
本発明のスペーサーは、独立していることにより、大きさが異なるこたつに使用することができる。また、こたつの枠体からずれることが無いため、独立して天板を持ち上げることができる。
【００１２】
本発明においては、スペーサーのみを天板の下に設置することにより、収納部を構成できるため、重い底板を必要としない。
【００１３】
また、収納部が不要な場合は、本発明のスペーサーは簡単に取り外せる。
【００１４】
また、第１突起と第２突起が枠体を挟み込むため、ずれ防止が確実にできる。
【００１５】
また、布団がある場合、布団の厚みにより第１突起と第２突起がずれ易くなる。外側の第１突起を長くすることにより、布団があっても内側へのずれを完全に防止することができる。
【００１６】
また、２つのスペーサー部材が一体的に構成または連結可能に構成されていることにより、枠体を構成する枠部材に沿ってスペーサーが移動することも防止できる。これにより、収納スペースの収納口を枠部材の中央部に構成することができ、使い勝手が向上する。
【図面の簡単な説明】
【００１７】
【図１】本発明に係るスペーサーの使用状態を示す斜視図
【図２】本発明の実施例１に係るスペーサーの平面図
【図３】本発明の実施例１に係るスペーサーの側面図
【図４】本発明の実施例１に係るスペーサーの底面図
【図５】本発明の実施例１に係るスペーサーの使用状態を示す側面図
【図６】本発明の実施例２に係るスペーサーの使用状態を示す平面図
【発明を実施するための形態】
【００１８】
本発明の実施の形態を図１から図５を用いて説明する。
【００１９】
図１は、本発明に係るスペーサーの使用状態を示す斜視図である。こたつ本体１は、枠体４の上部外辺を構成する枠部材５を隣接させて四角形状を成し、その角部の下方に脚６を設け、その上に天板３を載置することにより、テーブルの機能を有するものである。なお図１においては、こたつ布団を省略している。
【００２０】
４つのスペーサー２は、それぞれ、枠体４の上部外辺を構成する枠部材５の連接部上に配置される。更に、そのスペーサー２上に天板３を載置する。なお図１においては、天板３を浮かせて記載している。
【実施例１】
【００２１】
図２は本発明の実施例１に係るスペーサー２の平面図である。スペーサー２は、２つのブロック７（本発明におけるスペーサー部材の例）を備えている。ブロック７の外側面に第１突起８が形成され、ブロック７の底面に円錐形状の第２突起９が形成されている。第１突起８と第２突起９との距離は、枠部材５を挟み込む寸法である。
【００２２】
第１突起８は枠部材５の外側面に当接し、第２突起９は枠部材５の内側面に位置することにより、ブロック７が枠部材５の内外方向へ移動することを制限している。
【００２３】
隣接した２つのブロック７を連結部材１０を用いてその上面で接着固定し、２つのブロック７を略直角方向に連結した構造となっている。
【００２４】
枠体４は、連設された複数の枠部材５によって多角形形状に構成され、スペーサー２は、第１の枠部材５ａ上に配置される第１のブロック７ａと、第１の枠部材５ａに連設する第２の枠部材５ｂ上に配置される第２のブロック７ｂとを備え、第１のブロック７ａと第２のブロック７ｂとは、連結部材１０により一体的に構成されている。
【００２５】
この連結構成により、枠体４の角部に位置するスペーサー２は枠部材５に沿った方向へも移動が制限され、枠体５に対してスペーサー２を完全に位置規制することができる。
【００２６】
また、この構成によりスペーサー２が枠体４の角部に位置規制されるため、図５に示されるように、枠部材５の中央付近に収納口を構成することができ、使い勝手がよい。
【００２７】
図３は、本発明の実施例１に係るスペーサー２の側面図であり、第１突起８が第２突起９よりも下方に長く構成されているため、こたつ本体１と天板３との間に布団が挿入されたような場合でも、確実に位置規制ができる。
【００２８】
また、第２突起９が円錐形状の突起であるため、布団に食い込み容易にずれ防止が可能となる。
【００２９】
図４は、本発明の実施例１に係るスペーサー２の底面図である。円錐形状の頭部を成す鋲をブロック７の底面に打ち込むことにより、円錐形状の第２突起９を構成している。鋲の打ち込みは、極めて容易であり、しかも強固な突起を構成することができる。
【００３０】
上記実施例１では、連結部材１０を用いて２つにブロック７を接着固定することにより一体とした構成であったが、連結部材１０を設けず、２つのブロック７を個別に枠部材５上に配置しても同様の効果が得られる。
【００３１】
上記実施例１では、平板形状の連結部材１０に２つのブロック７を接着固定することにより一体とした構成であったが、連結部材１０にブロック７を嵌め込むための２つの嵌め込み部（凹部形状部）を設け、２つのブロック７をそれぞれの嵌め込み部に嵌め込んで連結する構成でも、同様の効果を有する。
【００３２】
上記実施例１では、第１突起８を平板形状とし第２突起９を三角錐形状としたが、これに限定されるものではなく、平板状の第１突起及び平板状の第２突起を併設したような形状においても同様の効果を奏する。
【実施例２】
【００３３】
図６は本発明の実施例２に係るスペーサー２を枠体４の四隅に配置した状態の平面図（こたつ布団及び天板３は図示していない。）である。枠体４の対角に配置されているスペーサー２は、弾性体１１により互いに引っ張られており、枠体４の外側への移動を制限されている。これにより第２突起が不要となる構成であり、本実施例２では、弾性体１１が位置決め手段として機能する。
【００３４】
前述の実施例１の構成では、こたつ布団がある場合において、第２突起９が枠体４に食い込まないため、位置決め力が弱くなることがある。それに対して上記実施例２では弾性体１１が強力にスペーサー２を引っ張っているため、第２突起が不要となるのに加え、こたつ布団を設けても外側への位置決めが強固となる。
【符号の説明】
【００３５】
１  こたつ本体
２  スペーサー
３  天板
４  枠体
５  枠部材
６  脚
７  ブロック
８  第１突起
９  第２突起
１０  連結部材
１１  弾性体
【図１】
2019216868.tif 000003
【図２】
2019216868.tif 000004
【図３】
2019216868.tif 000005
【図４】
2019216868.tif 000006
【図５】
2019216868.tif 000007
【図６】
2019216868.tif 000008
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
こたつ本体と、天板を有するこたつにおいて、
前記こたつ本体と前記天板との間に設けられる複数のスペーサーであって、
前記こたつ本体は、脚と前記天板を支持する枠体とから成り、
前記スペーサーは、前記枠体上に配置され、前記枠体の内外方向への移動を制限する位置決め手段を有し、
前記位置決め手段は、下方に突出した第１突起と第２突起を有し、前記第１突起は前記枠体の外側に位置し、前記第２突起は前記枠体の内側に位置するスペーサー。
【請求項２】
前記第２突起より前記第１突起の方が下方への突出長さが長い請求項１に記載のスペーサー。
【請求項３】
前記枠体は、連設された複数の枠部材によって多角形形状に構成され、
前記スペーサーは、
第１の前記枠部材上に配置される第１スペーサー部材と、
前記第１の枠部材に連設する第２の枠部材上に配置される第２スペーサー部材とを備え、
前記第１スペーサー部材と前記第２スペーサー部材とは、一体的に構成または連結可能に構成されている請求項１又は請求項２に記載のスペーサー。
【請求項４】
こたつ本体と、天板を有するこたつにおいて、
前記こたつ本体と前記天板との間に設けられる複数のスペーサーであって、
前記こたつ本体は、脚と前記天板を支持する枠体とから成り、
前記スペーサーは、前記枠体上に配置され、前記枠体の内外方向への移動を制限する位置決め手段を有し、
前記枠体は、連設された複数の枠部材によって多角形形状に構成され、
前記スペーサーは、
第１の前記枠部材上に配置される第１スペーサー部材と、
前記第１の枠部材に連設する第２の枠部材上に配置される第２スペーサー部材とを備え、
前記第１スペーサー部材と前記第２スペーサー部材とは、一体的に構成または連結可能に構成されているスペーサー。